(57)【特許請求の範囲】
【請求項１】
遊技に関する制御を行う制御基板が収容されるケース体と、該ケース体に被着されるカバー体とからなる基板収容ボックスを備えた遊技機において、前記ケース体とカバー体には夫々封止部が設けられると共に、該カバー側封止部とケース側封止部のいずれか一方の封止部には封止方向に移動可能な押圧ピンが所定の位置からの封止方向への移動が規制されるように設けられ、他方の封止部には前記押圧ピンの封止方向への押圧動作により流出して該押圧ピンと前記他方側の封止部とを固着させる接着剤が設けられていることを特徴とする遊技機。
【請求項２】
前記他方側の封止部には前記押圧ピンの封止方向への押圧動作により破壊可能な容器が設けられると共に、該容器内には前記接着剤が破壊により流出して前記押圧ピンと前記他方側の封止部とを固着させる接着剤が封入されていることを特徴とする請求項１に記載の遊技機。
【請求項３】
前記他方側の封止部には前記押圧ピンの封止方向への押圧動作により破壊可能な空洞部が一体的に形成されると共に、該空洞部内には前記接着剤が破壊により流出して前記押圧ピンと前記他方側の封止部とを固着させる接着剤が封入されていることを特徴とする請求項１に記載の遊技機。
【請求項４】
前記他方側の封止部には、封止方向への押圧動作された押圧ピンと係合するピン受部が設けられていることを特徴とする請求項１、２又は３に記載の遊技機。
【請求項５】
前記ケース体とカバー体に設けられる前記ケース側封止部とカバー側封止部の少なくとも一方の封止部は切断可能な連結部を介して設けられていることを特徴とする請求項１〜４のいずれかに記載の遊技機。
【請求項６】
前記ケース側封止部とカバー側封止部が対になって複数設けられていることを特徴とする請求項５に記載の遊技機。
【発明の詳細な説明】
【０００１】
【発明の属する技術分野】
本発明は遊技機に関し、さらに詳しくは、パチンコ遊技機やスロットルマシン等の遊技機の遊技盤裏面等に遊技に関する制御を行う制御基板を収容した状態で取り付けられる基板収納ボックスを備えたものにおいて、その基板収納ボックスの不正開封を防止する不正行為防止対策が施されたその不正防止機構に関するものである。
【０００２】
【従来の技術】
近年、パチンコ遊技機やスロットルマシン等の遊技機は、遊技盤に設けられる各種入賞装置や図柄変動表示装置等を制御して、遊技の興趣を盛り上げるようにしたものが主流となっており、これらの入賞装置や図柄変動装置等の制御は、ＩＣやＬＳＩ等の多数の電子部品を配設したロジック制御の回路基板、あるいはマイクロコンピュータを備えた制御基板等により行われる。このような遊技機の遊技内容を制御する制御基板は、一般的に遊技盤の裏面側に取り付けられた基板収納ボックス内に収納される。
【０００３】
基板収納ボックスは樹脂製又は金属製で形成されており、ＩＣや抵抗等の各種電子部品が多数実装された制御基板等をボックス内に収容して、基板上のプリント回路の短絡を防ぐために、埃等のゴミが侵入しないように保護しており、主に遊技機裏面の機構板等に取り付けられる。例えば、役物制御装置においては、制御回路内にＣＰＵ、ＲＯＭ、ＲＡＭ等が設けられており、ＲＯＭに記憶された制御プログラムに従って遊技機の制御が行われ、大当たり等もここで制御されている。
【０００４】
このような制御基板を収容する基板収納ボックスは、カバー体とケース体とを重ね合わせたボックス構造を有しており、他の各種電気装置と電気接続される制御基板のコネクタ部分がボックスから露出されるように設けられており、各種配線をコネクタ部に差し込むことにより、それぞれ電気装置に関わる制御が可能になっている。
【０００５】
この制御基板を収容する基板収納ボックスに対する不正行為は、上蓋となるカバー体をはずして、開放された制御基板に備えられたＲＯＭ等の電子部品を交換、あるいはデータ内容の書き換えを行うことにより、通常の遊技制御と比較して、例えば大当たりを頻繁に発生させる等の不正な遊技制御を行わせるようなものである。
【０００６】
従来用いられてきた基板収納ボックスにおける制御基板を封止する構造は、一旦封止が開封されると、開封された痕跡が残るように、カバー体とケース体とをビス止め組付けした後、それらの合わせ目に封印シールを貼ったり、基板収納ボックスをアクリルなどの透明な合成樹脂材料により形成して、内部に収容されている制御基板の状態が外部から視認できるようにして不正行為が確認せきるようにしていたが、本物そっくりの偽封印シールや特殊な剥離剤などを使用する不正行為者に対しては効果がないのが実状である。
【０００７】
これらの不正行為を防止するために、基板収納ボックスを開放不可能あるいは開放が極めて困難な構造にして、ボックスそのものを破壊するしか開封する方法がないようにすることも考えられるが、公的機関によるＲＯＭ検査や修理等のメンテナンス性を考えると現実的でない。そこで、これらの対策として、図９及び図１０に示されるような基板収納ボックスの封止構造のものが提案されている。図９は基板収納ボックス２００の上面図、図１０はその基板収納ボックス２００の側面に設けられた封止部２０１のＡ−Ａ断面である横断面図を示している。
【０００８】
図示されるように、この基板収納ボックス２００は左右側面に封止部２０１を４つずつ備えており（片側の３つのみ図示）、制御基板２０２を収容固定した樹脂製のケース体２０４の上方から同じく樹脂製のカバー体２０３を被着した後、封止部２０１のカバー側封止部２０３ａに予め挿入して係止されている押圧ピン２０５の先端部２０５ａを、封止部２０１のケース側封止部２０４ａの内部に固定された固定板２０６の嵌合孔２０６ａに押し込むことで抜脱不能に固定される。このようにカバー側封止部２０３ａとケース側封止部２０４ａが押圧ピン２０５によって締結されることで制御基板２０２は基板収納ボックス２００内に封止される。
【０００９】
この場合、カバー体２０３をケース体２０４から脱着して基板ボックス２００を開封するには、カバー体２０３の側壁とカバー側封止部２０３ａとを連結している切断可能に形成された連結部２０３ｂをニッパ等で切断することにより、簡便に開封することができるようになっている。つまりこの連結部２０３ｂを切断するか、押圧ピン２０５が押し込められた封止部２０１やボックスそのものを破壊する以外には開封することができない構造となっているので、連結部２０３ｂを切断したりその他の部分を破壊すれば確実にその痕跡が残る。これにより不正に開封する行為が発見することができるので、不正行為者による不正行為を抑制して未然に防止するというものである。
【００１０】
また、このような封止手段である押圧ピン２０５と開封手段である連結部２０３ｂを備えた封止部２０１を複数箇所、例えば基板収納ボックス２００の左右側面に４箇所ずつ設けて、カバー２０３側から見て対角する位置の封止部２０１を左右それぞれ１箇所ずつ合計２箇所封止部の押圧ピンを押し込んで封止するようにすれば、４回の封止・開封を行うことができる。したがって制御基板に備えられたＲＯＭ検査や修理等の正当な理由による開封時には、封止されている箇所の連結部２０３ｂを切断するだけで開封することができるので、ボックス本体そのものを破壊しなければ開封できないような開封不可能な構造を採用した場合のように、開封する度に新しいボックスに交換しなければならないというようなことがなく、開封・封止の作業を複数回行うことができて制御基板のＲＯＭ検査などのメンテナンス性も良いというものである。
【００１１】
【発明が解決しようとする課題】
しかしながら、図９及び図１０に示した基板収納ボックス２００の構造のように、押圧ピン２０５の先端部２０５ａを、封止部２０１のケース側封止部２０４ａの内部に固定された固定板２０６の嵌合孔２０６ａに押し込むことで抜脱不能に固定されていても、抜き取ることは不可能ではない。例えば特殊な工具を用いたり、ボックスの封止部分に目立たない程度の加工を加えることで、封止部やボックスその他の部分を破壊することなく押圧ピン２０５を強引に抜き取られるおそれがあり、そのように押圧ピン２０５を抜き取って制御基板８２に備えられたＲＯＭをいわゆる裏ＲＯＭと呼ばれるものに交換したりする不正改造等を行った後、押圧ピン２０５を封止状態であるかのように再度収められた場合には、不正に開封した行為がほとんど発覚しない等の問題があった。
【００１２】
本発明の解決しようとする課題は、遊技機本体の裏面や遊技盤裏面に設けられる制御基板が収容される基板収納ボックスを痕跡を残さないで開封することを困難にして、遊技機に対する不正行為を未然に防止することである。
【００１３】
【課題を解決するための手段】
この課題を解決するために本発明に係る遊技機は請求項１に記載のように、遊技に関する制御を行う制御基板が収容されるケース体と、該ケース体に被着されるカバー体とからなる基板収容ボックスを備えた遊技機において、前記ケース体とカバー体には夫々封止部が設けられると共に、該カバー側封止部とケース側封止部のいずれか一方の封止部には封止方向に移動可能な押圧ピンが所定の位置からの封止方向への移動が規制されるように設けられ、他方の封止部には前記押圧ピンの封止方向への押圧動作により流出して該押圧ピンと前記他方側の封止部とを固着させる接着剤が設けられていることを要旨とするものである。
【００１４】
上記構成を有する基板収納ボックスによれば、ケース体にカバー体を被着して、いずれか一方の封止部に設けられた封止方向に所定位置まで移動可能な押圧ピンを押圧動作させたときには、他方の封止部に設けられた押圧ピンの押圧動作により、押圧ピンとその他方側の封止部とを固着させる接着剤が流出する。これにより、ケース体のカバー体のいずれか一方の封止部の押圧ピンと他方の封止部は接着剤によって固着され、しかも押圧ピンが設けられた封止部にその押圧ピンは封止方向への移動が所定位置から規制されているので、ケース体とカバー体は開封方向へそれぞれ移動、つまり脱着できなくなる。
【００１５】
このように、脱着できなくされたケース体とカバー体のそれぞれの封止部が、押圧ピンによって、一方は開封方向への移動が規制されると共に、他方は接着剤によって固着されているので、脱着するには押圧ピンの開封方向への移動を規制している部分を破壊して移動可能にするか、接着剤によって固着されている部分を破壊するか、押圧ピンそのものを破壊する以外に方法はなく、いずれの方法によってもその行為の痕跡は明らかに残すことができる上に、その痕跡を消す為の復元も極めて困難である。従って、収納されている制御基板への不正行為のために開封が行われた場合には早期に発見されるとともに、不正行為の痕跡を消すこともできないので、このような不正行為者による不正開封の行為を抑制することができる。
【００１６】
この場合、請求項２に記載のように、前記他方側の封止部には前記押圧ピンの封止方向への押圧動作により破壊可能な容器が設けられると共に、該容器内には前記接着剤が破壊により流出して前記押圧ピンと前記他方側の封止部とを固着させる接着剤が封入されている構成にすれば、外気に触れないように接着剤を封止部に設けることが容易になる。
【００１７】
また、請求項３に記載のように、前記他方側の封止部には前記押圧ピンの封止方向への押圧動作により破壊可能な空洞部が一体的に形成されると共に、該空洞部内には前記接着剤が破壊により流出して前記押圧ピンと前記他方側の封止部とを固着させる接着剤が封入されている構成にしても、外気に触れないように接着剤を封止部に設けることが容易である。
【００１８】
さらに、請求項４に記載のように、前記他方側の封止部には、封止方向への押圧動作された押圧ピンと係合するピン受部が設けられている構成にすれば、押圧ピンの他方側の封止部への固定がより強力なものになる上に、ボックスへの外部から応力や衝撃によって、接着剤の固着部分の亀裂の発生による破断等が防止される。
【００１９】
さらに、請求項５に記載のように、前記ケース体とカバー体に設けられる前記ケース側封止部とカバー側封止部の少なくとも一方の封止部は切断可能な連結部を介して設けられている構成にすれば、その連結部を切断することにより、簡便に開封することができるようになり、切断による痕跡も残すことができる。
【００２０】
さらに、請求項６に記載のように、上記連結部を備えると共に、前記ケース側封止部とカバー側封止部が対になって複数設けられている構成にすれば、基板収納ボックスの開封・封止を複数回行うことができるようになり、制御基板の公的機関によるＲＯＭ検査や修理などの正当な理由によって開封した場合でも再度収納して封止するとが可能になり、メンテナンス性も良くなる。
【００２１】
【発明の実施の形態】
以下、本発明の好適な一実施形態を図面を参照して詳細に説明する。 図１は、遊技機の一例としてのパチンコ遊技機の概略構成の正面図を示したものである。図示されるようにパチンコ遊技機１０は、遊技機本体の側部を構成する外枠１１と前面部のベースとなる内枠１２とを備える。この内枠１２の開口部周縁には額縁状の金枠１３が嵌められており、その内側には遊技盤１４の前面を覆うガラス扉１５が設けられる。
【００２２】
ガラス扉１５の下方位置には、遊技球を貯留するための上受け皿１６とその上受け皿１６から溢れた遊技球を貯留するための下受け皿１７が縦列して設けられる。この上受け皿１６には球抜きボタン１８が設けられ、これを操作すると上受け皿１６内の遊技球が下受け皿１７に向けて抜き落とされる。又、下受け皿１７の図中右側位置には、遊技球を発射するための発射レバー２０が設けられ、その回動操作量に応じて打球の強さが調整されると共に図示しない発射モータの電源が投入される。更に発射レバー２０には遊技球を単発発射させるための単発スイッチ２１も備えられており、遊技状況に応じて使い分けることが可能に構成されている。
【００２３】
また、このパチンコ遊技機１０の左側部にはプリペイドカードによる球の貸し出しを行うプリペイドカードユニット２２が並設されており、その操作は上受け皿１６の前面部に設けられた球貸し操作部２３によって行われる。球貸し操作部２３には、プリペイドカードによる遊技球の貸出しを操作する球貸しボタン２４、その貸出しの可否状態を示す球貸しランプ２５、カード挿入口２６からプリペイドカードを排出させるカード返却ボタン２７、プリペイドカードの残高表示及びエラー表示を行う度数表示部２８等が備えられる。
【００２４】
遊技盤１４面のほぼ中央には特別図柄表示装置５０が設けられており、その画面には数字やキャラクタ等の図柄が動画表示される。この特別図柄表示装置５０の真下位置には常時入賞可能な第一始動入賞口５２ａと、可変翼が開放された時にのみ入賞可能となる第二始動入賞口５２ｂを備える始動入賞口５２が設けられており、始動入賞口５２に遊技球が入賞すると特別図柄表示装置５０に表示される図柄が変動を開始する。
【００２５】
また、始動入賞口５２の真下位置には通常は閉鎖されている大入賞口５３が設けられており、その内部には大入賞口５３が開放された時にのみ入賞可能となる特定入賞口５４が設けられている。又、大入賞口５３の左右位置には普通入賞口である左落し入賞口６０、右落し入賞口６１が、それらの上方位置には左袖入賞口６２、右袖入賞口６３が各々設けられ、これらの入賞口へ遊技球が入賞すると所定個数の賞品球が払出される。
【００２６】
特別図柄表示装置５０の周囲には装飾枠体６４が設けられる。この装飾枠体６４の上部に形成された半円弧形状の装飾枠部には、普通図柄表示装置６５が設けられ、「０」から「９」までの数字が７セグメントでもってデジタル表示される。更に、本遊技盤１４面には遊技球の落下方向を無作為に変更させたり、その流下速度を変化させる風車やランプ風車、左ゲート６６、右ゲート６７が設けられ、このゲート６６、６７を遊技球が通過すると普通図柄表示装置６５が変動を開始し、所定図柄が表示確定されると前述の始動入賞口５２の第二始動入賞口５２ｂが一定時間開放される。
【００２７】
始動入賞口５２に遊技球が入賞すると、特別図柄表示装置５０に表示されるの判定用図柄が変動を開始し、所定時間（例えば５秒間）が経過すると停止して図柄が表示確定される。ここで確定された図柄の組み合わせが予め設定された所定の組み合わせと一致すると、それまで閉鎖されていた大入賞口５３が開放され、いわゆる「大当たり」と称される特別な遊技状況が開始されることになる。
【００２８】
このように、遊技盤１４面に設けられる各入賞口に遊技球が入賞（又は通過）すると諸処の遊技状況が発生する契機となると共に、所定個数の賞品球が上受け皿１６の左側上部に設けられる球出口２９から払い出される。但し、何れにも入賞しなかった遊技球は、遊技盤１４面の最下部に設けられる排出口６８から遊技盤１４の裏面へと排出されることになる。
【００２９】
図２は、前記パチンコ遊技機１０の裏面図である。パチンコ遊技機１０の裏面には、各種装置等を取り付けるための裏セット板７１が設けられ、その裏セット板７１の上方には、図示しない遊技場内に設置された球供給装置から供給される遊技球を一時貯留する球タンク７２が設けられる。この球タンク７２には球誘導樋７３が連接して設けられる。球誘導樋７３にはその球誘導樋７３上における遊技球の貯留状態を検知する補給スイッチ７４が設けられる。このスイッチ７４は、球誘導樋７３上での球切れ状態が発生した時に作動し、図示しない遊技場内の球供給装置から球タンク７２に遊技球を供給させるように構成されている。
【００３０】
この球誘導樋７３は図示しない屈曲樋に接続され、この屈曲樋はその下流域でおいて枝分かれして賞球払出装置７５と球貸払出装置７６に連接される。又、この図示しない屈曲樋にはその屈曲樋内における遊技球の流下状態を検知して賞球払出装置７５及び球貸払出装置７６の空動作を未然に防止する空切り防止スイッチ７７が設けられる。
【００３１】
また、遊技機１０の裏面には、遊技に関わる制御を行うための多様な制御基板が設けられており、これらにより遊技盤１４面に設けられる各装置等の動作が設定制御される。遊技機１０と外部の各種装置とを接続する外部出力端子７８ａを含む外部出力端子基板７８、空切り防止スイッチ７７の作動を設定制御する空切り防止スイッチ基板７９、更に、前述の賞球払出装置７５及び貸球払出装置７６の作動を設定制御するＣＲ賞球払出制御基板８０、本遊技機１０の側部に設けられるプリペイドカードユニット２２と遊技機１０間における情報の授受を行うカードインターフェイス接続部８１が設けられる。
【００３２】
更に、これらの制御基板等の動作を設定制御する主制御基板８２が裏面左下方部に設けられる。主制御基板８２は、基板収納ボックス９０に収納されており、この基板収納ボックス９０を開封しなければ主制御基板８２に触れることができないようになっている。基板収納ボックス９０は、下側のケース体９１とそのケース体９１に被着されるカバー体９２とからなり、そのケース体９１内に主制御基板８２を載置して固定し、その上面をカバー体９２で覆うことで外部から触れることができないように主制御基板８２を収容している。
【００３３】
そのほかに本遊技機１０には上記以外にも多様な制御基板が設けられており、これらにより遊技盤１４面に設けられる各装置等の動作が設定制御される。例えば、打球発射に関する設定制御を行う発射装置制御基板９３や、遊技盤１４面上に設けられるランプの点灯及び消灯に関わる設定制御を行うランプ制御基板９４、遊技状況に応じて発する音声や音楽等を制御する音声制御基板９５といった各種制御基板も同様に設けられる。図３のブロック図に示されるように、これら制御基板等は直接又は間接的に主制御基板８２と接続され、その動作は主制御基板８２に制御されるようになっている。これらについての概要は周知であるので、ここでは詳細説明を省略する。
【００３４】
次に、本発明の一実施形態に係るパチンコ遊技機に備えられた不正行為防止のための基板収納ボックスついて図４〜図８を参照して詳細に説明する。図４は遊技機本体の裏面に設けられる前述の基板収納ボックス９０の外観斜視図、図５は基板収納ボックス９０の分解斜視図、図６は封止部１１０の縦断面図、図７は封止部１１０の横断面図を示した図である。
【００３５】
図４及び図５に示されるように、この基板収納ボックス９０は、前述の主制御基板８２が収容されるケース体９１、そのケース体９１に被着されるカバー体９２、これら両部材に設けられる封止部１１０ａ，１１０ｂ同士を締結する押圧ピン１１１とから構成される。
【００３６】
ケース体９１はアクリル等の透明な合成樹脂材料により略箱形状に形成されており、その底面に載置された主制御基板８２の４隅角部をネジ１０１止めにより収容固定されている。ケース体９１に被着されるカバー体９２も同様にアクリル等の透明な合成樹脂材料により略箱形状に形成されており、その両側面には、主制御基板８２を固定しているネジ１０１止め部を覆い隠すネジカバー片１０２ａ，１０２ｂが設けられている。また、ケース体９１の一側には、一方のネジカバー片１０２ｂに弾発的に係合する係合爪片１０３が設けられると共に、ケース体９１の他側には、他方のネジカバー片１０２ａの外側面に形成された引っかけ部１０４を、やはり弾発的に係合する掛止片１０５が設けられている。これらによりカバー体９２はケース体９１に被着の際に容易に外れないように仮固定される。
【００３７】
主制御基板８２を収容するケース体９１の左右両外側面（図面では片側のみ図示）には、ケース側封止部１１０ａとして上面が開口された長手ボックス形状の固定台１１２がケース体９１と一体的に連結して設けられ、その内部には図６及び図７で示すような金属製板材により折り曲げ形成された押圧ピン固定板１１３がタッピンネジ１０６によって固定台１１２の内部にネジ止めされて収容固定されている。この押圧ピン固定板１１３には、押圧ピン１１１の先端部１１１ａを抜脱不能に嵌合する嵌合孔１１３ａが設けられており、その嵌合孔１１３ａの内周縁には、押圧ピン１１１の先端部１１１ａに周設された凹状の溝部１１１ｂに嵌合する嵌合片１１３ｂがやや下向きに突設して形成されている。
【００３８】
また、ケース体９１に被着されるカバー体９２の左右両外側面（図面では片側のみ図示）には、カバー側封止部１１０ｂとして複数個（この実施例では４個）の押圧ピン装着台１１５が連結部１１８を介して設けられると共に、その両サイドには前述の押圧ピン固定板１１３をネジ止め固定するタッピンネジ１０６を上方から覆うネジ隠し片１１７も設けられている。
【００３９】
押圧ピン装着台１１５，１１５，・・には、図６及び図７（ａ）に示すように押圧ピン１１１が予め装着されている。この押圧ピン１１１はアルミ等の金属製棒材により切削形成又は合成樹脂材料から成形されたもので、フランジ状の頭部１１１ｅと円柱状の本体部１１１ｄを備えている。本体部１１１ｄの途中位置には、その本体部１１１ｄよりもやや大径にローレット状のリング部１１１ｃが形成されており、さらにそのリング部１１１ｃより下方の先端部１１１ａには凹状の溝部１１１ｂが周設されている。
【００４０】
この押圧ピン１１１が挿入される押圧ピン装着台１１５，１１５，・・は、上下に開口した略筒状に形成されており、上方のピン頭部収容室１１５ａの内径は、押圧ピン１１１の頭部１１１ｅの外径よりもやや大きく形成されている。また下方のピン本体部挿入孔１１５ｂの内径は、押圧ピン１１１の本体部１１１ｄの外径よりも大きく、ローレット状のリング部１１１ｃの外径よりやや小さくなっており、挿入されるリング部１１１ｃを軽い押し込み力で通すことができる大きさに形成されている。これにより押圧ピン１１１をピン本体部挿入孔１１５ｂに挿入してリング部１１１ｃがピン本体部挿入孔１１５ｂの下側端面より下方に露出するまで押し込むことで、押圧ピン１１１を遊挿させた状態で押圧ピン装着台１１５からに抜け落ちないようにすることができる。このように一度装着された押圧ピン１１１は押圧ピン装着台１１５からは容易に脱落しないようにしておけば、予め装着させておくことができるので、押圧ピン１１１を封止する毎に別途用意したりする必要もなく、また押圧ピン１１１を紛失するおそれもなくなる。
【００４１】
また、押圧ピン装着台１１５，１１５，・・とカバー体９２の側壁とを連結している連結部１１８，１１８，・・はニッパ等の工具によって簡便に切断可能な形状に形成されており、この連結部１１８，１１８，・・のうち封止箇所の連結部１１８を切断することで、封止箇所の押圧ピン装着台１１５はカバー体９２から離れることになる。
【００４２】
固定台１１２に備えられる押圧ピン固定板１１３の下方には、上述の押圧ピン装着台１１５，１１５，・・に対応して設けられた固着室１３１，１３１，・・が上方を開口して略筒状に形成されている。この固着室１３１，１３１，・・には、接着剤１３５がカプセル状の容器に封入された接着剤入りカプセル１３３がその固着室１１３の底面に固定されている。この底面への固定方法については接着剤等で固定しても良いし、図示しない係止部によって固定しても良い。
【００４３】
この接着剤入りカプセル１３３の容器は、樹脂材料によって形成されており、容易に破断することが可能となっている。封入されている接着剤１３５の例としては、いわゆる瞬間接着剤と呼ばれる化学反応型接着剤などの外気に触れると比較的短時間で硬化するもので、常温で液状又は粘性を有するゲル状の形態のものが適している。さらに２剤を混合することで硬化する接着剤もあり、この場合は先のカプセルを２層構造にしてその２剤の接着剤を封入して、破断された場合に混ざり合って硬化するという構成を採用することで適用することも可能である。
【００４４】
次に、このような構成のケース体９１とカバー体９２のそれぞれに備えられたケース側封止部１１０ａとカバー側封止部１１０ｂとを対向させながら、主制御基板８２を収容したケース体９１にカバー体９２を被着させた後、押圧ピン１１１が予め装着された押圧ピン装着台１１５，１１５，・・のいずれかの押圧ピン１１１を操作して、主制御基板８２を基板収納ボックス９０内に封止する手順について図７を用いて説明する。
【００４５】
図７（ａ）は封止前の基板収納ボックス９０の封止部１１０の横断面の状態を示しており、カバー体９２の押圧ピン装着台１１５に予め装着された押圧ピン１１１の先端部１１１ａは、ケース体９１の固定台１１２に収容固定された押圧ピン固定板１１３に形成された嵌合孔１１３ａより上方に位置している。
【００４６】
この状態で、ネジ回しドライバー等の工具を用いて、押圧ピン１１１の頭部１１１ｅの上面を上方から叩き込む等の押し圧動作により、押圧ピン１１１の先端部１１１ａが押圧ピン固定板１１３の嵌合孔１１３ａからさらに下方に貫通し、溝部１１１ｂに嵌合孔１１３ａの内周縁に下向き傾斜状に形成された嵌合片１１３ｂの先端部が嵌合すると共に、押圧ピン１１１の先端部１１１ａは嵌合孔１１３ａよりさらに下方の固着室１３１に固定された接着剤入りカプセル１３１に上方から当接してそのカプセルを破壊する。
【００４７】
破壊された接着剤入りカプセル１３３の内部に封入されていた接着剤１３５がカプセルから流出して、固着室１３１内で押圧ピン１１１の先端部１１１ａを浸した状態で硬化する（図７（ｂ））。従ってこの硬化した接着剤１３５により押圧ピン１１１の先端部１１１ａは固着室１３１内で固定台１１２と一体的に固着されることになる。
【００４８】
さらに押圧ピン１１１の溝部１１１ｂも押圧ピン固定板１１３の嵌合孔１１３ａに嵌合して固定されるので、押圧ピン１１１は二重に固定台１１２に固定されていることになる。また、封止のために操作された押圧ピン１１１は、そのフランジ状の頭部１１１ｅが押圧ピン装着台１１５のピン頭部収容室１１５ａの底面より下方への移動が規制されているので、カバー体９２の押圧ピン装着台１１５とケース体９１の固定台１１２とが押圧ピン１１１によって一体的に連結されたことになって、主制御基板８２は基板収納ボックス９０内に封止される。この場合、押圧ピン固定板１１３が固定台１１２に設けられていなくても、主制御基板８２は基板収納ボックス９０内に封止することが可能なのは言うまでもない。
【００４９】
次に他の実施形態として、図８に示す基板収納ボックスについて説明する。これは、前述の図７に示したの基板収納ボックスとは接着剤１３５を備える部分の構成が異なるだけで、他の部分の構成については同一のものである。従ってすでに説明したものと同一の名称・符号を用いた部分についての説明は省略する。図示されるように固定台１１２に備えられる押圧ピン固定板１１３の下方には、上述の押圧ピン装着台１１５，１１５，・・に対応した空洞状の固着室１４１，１４１，・・が設けられ、その固着室１４１の上壁１４１ａは容易に破断可能に形成されている。この固着室１４１，１４１，・・には、接着剤１３５が気密状態で封入されている。
【００５０】
封入方法については、種々なる方法が用いられるが、例えば合成樹脂材料によってケース体９１と一体成形する場合には、その成形時に図示しない窒素ガス注入ノズルから窒素ガス等を注入することで空洞状の固着室１４１を形成する。ケース体９１成形後は窒素ガス注入時（ガス注入ノズル等により）に形成された図示しない注入孔から接着剤１３５を固着室１４１内に注入する。そしてその注入孔の内径と同等の外径を有する同じく樹脂製のピンをほぼ注入と同時に塞いだ後、熱又は超音波等によって溶着して一体化させることで、接着剤１３５は固着室１４１内に気密状態を保って封入される。
【００５１】
このような構成のケース体９１とカバー体９２のそれぞれに備えられたケース側封止部１１０ａとカバー側封止部１１０ｂとを対向させながら、主制御基板８２を収容したケース体９１にカバー体９２を被着させた後、押圧ピン１１１が予め装着された押圧ピン装着台１１５，１１５，・・のいずれかの押圧ピン１１１を操作して、主制御基板８２を基板収容ボックス９０内に封止する手順について図８を用いて同様に説明する。
【００５２】
図８（ａ）は封止前の基板収納ボックス９０の封止部１１０の横断面の状態を示しており、カバー体９２の押圧ピン装着台１１５に予め装着された押圧ピン１１１の先端部１１１ａは、ケース体９１の固定台１１２に収容固定された押圧ピン固定板１１３に形成された嵌合孔１１３ａより上方に位置している。
【００５３】
そしてこの状態で、ネジ回しドライバー等の工具を用いて、押圧ピン１１１の頭部１１１ｅの上面を上方から叩き込む等の押し圧動作により、押圧ピン１１１の先端部１１１ａが押圧ピン固定板１１３の嵌合孔１１３ａからさらに下方に貫通し、溝部１１１ｂに嵌合孔１１３ａの内周縁に下向き傾斜状に形成された嵌合片１１３ｂの先端部が嵌合すると共に、押圧ピン１１１の先端部１１１ａは嵌合孔１１３ａよりさらに下方の固着室１４１の上壁１４１ａに当接してその上壁１４１ａを破壊して、接着剤１３５内に浸される。
【００５４】
上壁１４１ａが破壊されることで接着剤１３５は外気に曝されるので、固着室１４１内で押圧ピン１１１の先端部１１１ａを浸した状態で硬化する（図８（ｂ））。従ってこの硬化した接着剤１３５により押圧ピン１１１の先端部１１１ａは固着室１４１内で固定台１１２と一体的に固着されることになる。
【００５５】
さらに押圧ピン１１１の溝部１１１ｂも押圧ピン固定板１１３の嵌合孔１１３ａに嵌合して固定されるので、押圧ピン１１１は二重に固定台１１２に固定されていることになる。また、封止のために操作された押圧ピン１１１は、そのフランジ状の頭部１１１ｅが押圧ピン装着台１１５のピン頭部収容室１１５ａの底面より下方への移動が規制されているので、カバー体９２の押圧ピン装着台１１５とケース体９１の固定台１１２とが押圧ピン１１１によって一体的に連結されたことになって、主制御基板８２は基板収納ボックス９０内に封止される。この場合も、押圧ピン固定板１１３が固定台１１２に設けられていなくても、主制御基板８２は基板収納ボックス９０内に封止することが可能なのは言うまでもない。
【００５６】
以上説明した２つの実施形態の基板収納ボックス９０を開封するには、共に封止に使用された箇所の押圧ピン装着台１１５とカバー体９２とを連結している連結部１１８を、ニッパ等の工具を用いて切断することで簡単に開封することができる。それ以外の方法、例えば押圧ピン固定板１１３に嵌合した押圧ピン１１１を強引に抜き取る又は破壊することで開封することも可能であるが、その場合押圧ピン装着台１１５を破壊することなく押圧ピン１１１を抜き取ったりするのはは非常に困難であり、たとえ押圧ピン１１１を他の部材を破壊することなく抜き取っても、抜き取った痕跡が固着室内で硬化した接着剤１３５により明らかに残る。つまり押圧ピン１１１をその先端部１１１ａと一体的に硬化した接着剤１３５から抜き取れば不自然な部分が確実に形成される上に、その痕跡を消すことは極めて困難なものとなる。
【００５７】
また押圧ピン固定板１１３を固定台１１２から取り外すことでも開封することは可能であるが、押圧ピン固定板１１３を固定台１１２に固定しているタッピンネジ１０６，１０６を取り外すには、カバー体９２に設けらたネジ隠し片１１７，１１７が邪魔になるので、これを破壊することなく押圧ピン固定板１１３を取り外すことも非常に困難であり、たとえ巧妙に押圧ピン固定板を取り外したとしても、押圧ピン１１１の先端部１１１ａは接着剤１３５によって、固定台１１２の固着室内で一体的に固着しているので、やはりこの場合も抜き取れば、その痕跡が固着室内で硬化した接着剤１３５により明らかに残る。
【００５８】
つまり、このような構成で封止に使用された押圧ピン１１１を巧妙に他の部材や部分を破壊することなく抜き取ったとしても、抜き取った痕跡が接着剤によって確実に残ってしまい、しかも一見しただけではその痕跡が確認できないほどに修復することはほぼ不可能に近い。
【００５９】
さらに、少なくとも固定台１１２部分を透明樹脂材料等によって形成すれば固着室内の接着剤１３５の状態が外部から視認可能なので、不正に押圧ピン１１１を抜き取れば、その痕跡が明らかとなる。つまり固着室内のこの硬化後の接着剤１３５の状態（不自然な形状など）さえ確認すれば、基板収納ボックス９０が開封されたか否かの判断が容易に行うことができるので、不正開封された場合の発見がし易い。
【００６０】
このように遊技機内容を制御する主制御基板８２に対する不正行為を行うために不正開封された場合には早期に発見することができるとともに、不正に開封した行為の痕跡を消すことも極めて困難であるので、このような不正行為者による不正行為を抑制することになる。
【００６１】
尚、上述の基板収納ボックス９０の封止・開封は４回行うことができるようになっている。図４に示されるようにカバー体９２の上面左右には、対角になるように番号表示（この場合１〜４）がされており、例えば、初めて封止するときは左右の番号「１」が附された部分の押圧ピン１１１を叩き込んで封止する。主制御基板８２のＲＯＭ等を検査するときは、左右の番号「１」が附された部分の連結部１１８を切断することで開封することができる。そして再度封止するには、左右の番号「２」が附された部分の押圧ピン１１１を叩き込むことで封止することができる。このように収納されている主制御基板８２のＲＯＭ検査や修理などの正規の理由による開封・封止が複数回行うことができるので、メンテナンス性が良い。もちろんこの場合、開封・封止の回数等の履歴を別途記録管理しておくことが必要であることは言うまでもない。履歴と合致しない不正開封を発見することができる。
【００６２】
以上本発明の実施形態について説明したが、本発明はこうした実施形態に何ら限定されるものではなく、本発明の趣旨を逸脱しない範囲において、種々なる態様で実施できることは勿論である。例えば、押圧ピン装着台において押圧ピンの封止方向への移動を規制する構造として上述のものでは、押圧ピンのフランジ状の頭部と、押圧ピン装着台のピン頭部収納室によって下方への移動を規制した構造を示したが、上記実施例のように限定されるものではなく、要は封止に用いられた押圧ピンによってカバー体が確実に開封方向への移動が規制される（つまり開封できない）構造のものであれば良い。
【００６３】
また、上記実施例では、この遊技機の遊技内容を制御するメインの制御基板である主制御基板の基板収納ボックスに適用した例を示したが、遊技機に備えられるそれ以外の制御基板等を収納するボックスについても適用可能なのは言うまでもない。
【００６４】
【発明の効果】
本発明に係る遊技機によれば、基板収納ボックスを部分的に壊すなどしない限り、制御基板を取り出すことが不可能で、痕跡を残すことなく不正行為をすることはできない上に、その痕跡修復などして消すことが非常に困難である。これにより、遊技機に対する不正行為を未然に防止することができ、健全な遊技産業の発展に一層寄与し得るものとなる。
【図面の簡単な説明】
【図１】本発明の一実施形態に係るパチンコ遊技機の正面図である。
【図２】図１に示されたパチンコ遊技機の裏面を示した図である。
【図３】制御基板の接続を示したブロック図である。
【図４】本発明の一実施形態に係る基板収納ボックスの外観斜視図を示した図である。
【図５】図４に示された基板収納ボックスの分解斜視図である。
【図６】図４に示された封止部の縦断面図を示した図である。
【図７】図４に示された封止部の横断面図を示した図である。
【図８】他の実施形態に係る基板収納ボックスの封止部の横断面図を示した図である。
【図９】従来一般に知られる基板収納ボックスの上面図を示した図である。
【図１０】図９の封止部の横断面図を示した図である。
【符号の説明】
１０  パチンコ遊技機
８２  制御基板
９０  基板収納ボックス
９１  ケース体
９２  カバー体
１１０  封止部
１１１  押圧ピン
１１２  固定台
１１３  押圧ピン固定板
１１５  押圧ピン装着台
１１８  連結部
１３１  固着室
１３３  接着剤入りカプセル
【図１】
0003770587.tif 000002
【図２】
0003770587.tif 000003
【図３】
0003770587.tif 000004
【図４】
0003770587.tif 000005
【図５】
0003770587.tif 000006
【図６】
0003770587.tif 000007
【図７】
0003770587.tif 000008
【図８】
0003770587.tif 000009
【図９】
0003770587.tif 000010
【図１０】
0003770587.tif 000011